【手続補正書】
【提出日】平成27年6月1日(2015.6.1)
【手続補正１】
【補正対象書類名】明細書
【補正対象項目名】０００７
【補正方法】変更
【補正の内容】
【０００７】
本開示は、電子部品に対向するケースの面にスリットを備える構成により、電子部品に付与される衝撃をスリットの弾性変形で緩和しながらケースの薄型化を成し得ることができる。したがって、ケースを収容する電子機器の耐衝撃性および薄型化を向上することができる。
【手続補正２】
【補正対象書類名】明細書
【補正対象項目名】０００８
【補正方法】変更
【補正の内容】
【０００８】
【図１】ノート型パーソナルコンピュータ（ＰＣ）の外観斜視図である。
【図２】ＰＣに内蔵するハードディスクケースの外観斜視図である。
【図３】ＰＣに内蔵するハードディスクドライブ（ＨＤＤ）およびハードディスクケースの分解斜視図である。
【図４Ａ】ＰＣに内蔵するハードディスクケースの要部平面図である。
【図４Ｂ】ＨＤＤの要部平面図である。
【図４Ｃ】ハードディスクケースにＨＤＤを収容した要部平面図である。
【図４Ｄ】ＨＤＤを収容する他のハードディスクケースの要部平面図である。
【図５】別のハードディスクケースにＨＤＤを収容した要部平面図である。
【図６】図５の斜視図である。
【図７】ＰＣに内蔵する別のハードディスクケースの分解斜視図である。
【図８】ハードディスクケースに図７のＨＤＤを収容した要部平面図である。
【図９】図８の斜視図である。
【図１０】ＰＣに内蔵する他のハードディスクケースの分解斜視図である。
【手続補正３】
【補正対象書類名】明細書
【補正対象項目名】００１５
【補正方法】変更
【補正の内容】
【００１５】
［１−１．ハードディスクドライブの構成］
図２は、蓋体５で閉蓋されている収納部に収納するＨＤＤ７を収容したハードディスクケース（以下、ケースと略す）６の斜視図である。また、図３は、ＨＤＤ７を収容したケース６の分解斜視図である。ＨＤＤ７は、下面７ａ、電極７ｇが配置される電極側面７ｂ、電極側面７ｂとＨＤＤ７が内蔵する記憶ディスクおよびヘッドを介して対向する対向側面７ｃ、電極側面７ｂから見て右側の右側面７ｄおよび左側の左側面７ｅ、および下面７ａにディスクやヘッドを介して対向する上面７ｆで構成される。
【手続補正４】
【補正対象書類名】明細書
【補正対象項目名】００２３
【補正方法】変更
【補正の内容】
【００２３】
［１−３．ハードディスクドライブの緩衝構成］
ケース６に収容するＨＤＤ７の形状の基本構成は直方体が一般的であり、下側主面６ａの形状も基本的に長方形である。したがって、図５に、相隣接するスリットが形成する内角αを９０°に構成した正面図を、ＨＤＤ７の上面７ｆから見た状態で示す。なお、本実施形態におけるケース６の構成は、スリット９以外は図４Ａ乃至図４Ｃと同様であるため、詳細は割愛する。スリット９は、ケース６を構成する各側壁に対して平行に形成されている。すなわち、スリット９の電極下側壁６ｂおよび対向下側壁６ｃそれぞれに沿って、幅１ｍｍで、スリット９の外側の長さ２５ｍｍ、各側壁からスリット９の外側までの離隔距離１ｍｍを、下側主面６ａの各隅部から形成した。また、スリット９の下側右側壁６ｄおよび下側左側壁６ｅそれぞれに沿って、幅１ｍｍで、スリット９の外側の長さ２０ｍｍ、各側壁からスリット９の外側までの離隔距離が１ｍｍで、下側主面６ａの各隅部から形成した。なお、スリット９のそれぞれは、下側主面６ａの隅部で繋がっているため、例えば対向下側壁６ｃと下側左側壁６ｅとが成す隅部において、角部９ａは軸９ｂを中心に紙面の表裏方向に変形する。また、ＨＤＤ７は先の実施形態と同じであり、ケース６に収納すると、ＨＤＤ７はスリット９の空隙をまたがって配置される。
【手続補正５】
【補正対象書類名】明細書
【補正対象項目名】００２８
【補正方法】変更
【補正の内容】
【００２８】
また、本実施形態ではＨＤＤの側面が形成する角度を９０度とし、一方でスリットが成す角を９０度としたが、スリットの角度はＨＤＤの側面がなす隅を囲むように形成すれば良く当該角度に限定されない。また、スリットは一部または全部が曲線によって形成されても良い。
【手続補正６】
【補正対象書類名】明細書
【補正対象項目名】００２９
【補正方法】変更
【補正の内容】
【００２９】
［２−１．ハードディスクドライブの構成］
図７は、ＨＤＤ７を収容したケース６の分解斜視図である。ＨＤＤ７は、下面７ａ、電極７ｇが配置される電極側面７ｂ、電極側面７ｂとＨＤＤ７が内蔵する記憶ディスクおよびヘッドを介して対向する対向側面７ｃ、電極側面から見て右側の右側面７ｄおよび左側の左側面７ｅ、および下面７ａにディスクやヘッドを介して対向する上面７ｆで構成される。また、下面７ａの下側に、下緩衝材１１を配置した。ＨＤＤ７に対する下緩衝材１１の配置関係は、電極側面７ｂ、対向側面７ｃ、右側面７ｄおよび左側面７ｅそれぞれから１ｍｍＨＤＤ７の内側にした。また、下緩衝材１１は、例えばエチレン・プロピレンゴムやフッ素ゴム等のゴム系、ウレタンやポリエチレン等を発泡処理した発泡体等が挙げられる。また、下緩衝材１１には単体だけではなく、例えば特開２００９−２６４４８３号公報に開示されている衝撃吸収部と振動減衰部との複合緩衝材、特開２００４−３１５０８７号公報や特開２００８−２９１９８６号公報等で開示されている板状部材の切断端面を柔軟材料中に埋没させた複合緩衝材等であっても本実施形態の下緩衝材１１に適用することができる。本実施形態では、ＨＤＤ７の長手方向（すなわち、右側面７ｄおよび左側面７ｅ方向）に沿う長さ２．５ｍｍ、短手方向（すなわち、電極側面７ｂおよび対向側面７ｃ方向）に沿う幅２．２ｍｍ、自然長の高さ７．５ｍｍの発泡ウレタンフォームを用いた。
【手続補正７】
【補正対象書類名】明細書
【補正対象項目名】００３１
【補正方法】変更
【補正の内容】
【００３１】
さらに、本実施形態ではケース６に対して嵌合する上側ハードディスクケース（以下、上側ケースと略す）１２を備えた。上側ケース１２は、下主面６ａとＨＤＤ７を介して対向する上側主面１２ａ、電極下側壁６ｂと係合する電極上側壁１２ｂ、対向下側壁６ｃと係合する対向上側壁１２ｃ、下側右側壁６ｄと係合する上側右側壁１２ｄ、および下側左側壁６ｅと係合する上側左側壁１２ｅで構成される。また、ケース６および上側ケース１２は、例えば下側右側壁６ｄに備える係合孔と上側右側壁１２ｄに備える突起とによる嵌合、および下側左側壁６ｅに備える係合孔と上側左側壁１２ｅに備える突起とによる嵌合で固着される。また、本実施形態の上側ケース１２には、ケース６と同様にアクリロニトリル・スチレン共重合体樹脂を適用した。
【手続補正８】
【補正対象書類名】明細書
【補正対象項目名】００３６
【補正方法】変更
【補正の内容】
【００３６】
ＨＤＤ７の下緩衝材１１は、スリット１０の空隙をまたがって配置されている。また、ＨＤＤ７の下緩衝材１１は、下側主面６ａに形成した各スリット１０の各角部（例えば、１０ａ）の上に載置されている。したがって、下側主面６ａに形成したスリット１０の角部１０ａで、左側面７ｅと対向側面７ｃとに沿う下緩衝材１１の角部が支持され、角部１０ａは軸１０ｂ（図８参照）で上下方向に弾性変形することで、ＨＤＤ７に加わる外乱によりに加えられる衝撃は、下緩衝材１１の収縮や伸長動作に連動して緩和される。つまり、図８における角部１０ａが、軸１０ｂを中心として紙面の表裏方向の運動（裏方向のみ図示した）と下緩衝材１１の収縮または伸長（収縮のみ図示した）することで、図９に示すように、下緩衝材１１の厚みＭ１がＭ２だけ軸１０ｂを中心として角部１０ａが弾性変形し、衝撃を緩和することができる。したがって、ケース６を内蔵するＰＣの耐衝撃性を向上させながら、薄型化することができる。なお、下側緩衝材１１の圧縮変形も受けるため、図９におけるＭ１は、ケース６および上側ケース１２に収納した状態の下緩衝材１１の厚みとは異なる。